(57)【要約】【課題】嵌め込まれた石の外観も支持要素への石の保持の品質のどちらも変更することなく、支持要素に石を保持させる。【解決手段】各々がキュラス、クラウン、ガードルを有する複数の石を金属支持要素に嵌め込む方法であって、支持要素の第１の面に溝を形成し、第１の面の反対側の支持要素の第２の面から、その穴が受ける石のガードルの直径にほぼ対応する直径を各々有する複数の穴を、各穴が前記溝に通じ、各穴の底部が石のクラウンのための支持壁を形成するように穿孔し、支持壁の近傍で支持要素の第２の面にグレインを形成し、各々の石のクラウンがそれの穴の支持壁に当接するように穴の適所に石を嵌め込み、石を前記支持要素に固定するためにグレイン２０を各々の石のキュラス２８に押しつける。【選択図】図４
2007232724.tif 000002
【特許請求の範囲】
【請求項１】
各々がキュラス、クラウン、ガードルを有する複数の石を金属支持要素に嵌め込む方法であって、
前記支持要素の第１の面に溝をフライス削りするステップと、
前記第１の面の反対側の前記支持要素の第２の面から、当該穴が受ける石のガードルの直径にほぼ対応する直径を各々有する複数の穴を、各穴が前記溝に通じ、各穴の底部が石のクラウンのための支持壁を形成するように穿孔するステップと、
前記支持壁の近傍で前記支持要素の第２の面にグレインを形成するステップと、
各々の石のクラウンがそれの前記穴の前記支持壁に当接するように前記穴の適所に石を嵌め込むステップと、
石を前記支持要素に固定するために前記グレインを各々の石のキュラスに押しつけるステップとを含む方法。
【請求項２】
前記溝の幅は前記穴がその溝に通じている場所の穴の直径にほぼ等しいか、またはそれよりも大きいことを特徴とする請求項１に記載の嵌め込み方法。
【請求項３】
前記穴は前記溝の軸に中心が合わせられていることを特徴とする請求項１または２に記載の嵌め込み方法。
【請求項４】
前記穴は材料のブリッジによって互いに分離されることを特徴とする請求項１〜３のいずれかに記載の嵌め込み方法。
【請求項５】
前記溝は曲線に沿って延びることを特徴とする上記請求項のいずれかに記載の嵌め込み方法。
【請求項６】
前記溝の幅は一端から他方端まで可変であることを特徴とする上記請求項のいずれかに記載の嵌め込み方法。
【請求項７】
少なくとも２つの前記グレインが各々の穴と関係していることを特徴とする上記請求項のいずれかに記載の嵌め込み方法。
【請求項８】
前記グレインは、横方向で前記穴に通じている盲穴によって形成されたハウジング内に作られており、前記グレインは前記盲穴の底面に配置されることを特徴とする上記請求項のいずれかに記載の嵌め込み方法。
【請求項９】
前記穴は前記材料のブリッジによって互いに分離されており、前記グレインは前記材料のブリッジに配置され、１つの前記グレインが２個の並置された石を固定することを特徴とする請求項６または７に記載の嵌め込み方法。
【請求項１０】
２つの前記グレインがそれに沿って配置される直径は、前記溝の方向の横断方向に対して傾けられていることを特徴とする請求項７に記載の嵌め込み方法。
【請求項１１】
前記支持要素は、時計文字板を形成するプレートより形成される上記請求項のいずれかに記載の方法。
【発明の詳細な説明】
【技術分野】
【０００１】
本発明は、石で装飾された物品、宝飾装身具類または時計を製造するために宝石または準宝石を金属支持要素に嵌め込む方法に関する。より詳細には、本発明は、グレインが装飾品の上から見えないようにグレインを用いて石を嵌め込む方法に関する。本発明の方法は、時計の複数の列の石が嵌め込まれた文字板の製作に特に適する。
【背景技術】
【０００２】
複数の宝石を金属支持要素に嵌め込むための種々の技法が宝飾装身具類製作技術や時計学の分野において知られている。
【０００３】
１つの従来の方法は、肩部を形成するフレア状縁端を備える穴を支持要素の面に穿孔し、各々の石のキュラスが各穴の肩部に載るように石を穴に配置してから、石の輪郭を覆うリップを形成するために支持要素の材料を変形させて穴に石を固定することにある。この方法の変法によれば、石は、支持要素に石を保持する小さな爪を形成するために支持要素と一体に製造され変形されて石に押しつけられるグレインによって保持される。
【０００４】
この嵌め込み方法は、装飾面の側で支持要素の材料を変形させるので、それにより宝石で装飾された面に洗練され統一された外観を与えたい場合には不適格であるという欠点を有する。この方法は、種々の方向で整列された複数の石の列を、石を保持するための手段が支持要素材料の外観に影響を及ぼさないように、装飾面に製作したい場合に特に不適格である。
【発明の開示】
【発明が解決しようとする課題】
【０００５】
本発明の目的は、嵌め込まれた石の外観も支持要素への石の保持の品質のどちらも変更することなく、支持要素に石を保持するための手段が支持要素の装飾面から見えないように複数の石を支持要素に嵌め込む方法を提供することによって、前述の従来技術の欠点を克服することである。
【０００６】
本発明の目的はまた、装飾面の側の支持要素材料が石を確保するために変形されない形式の方法を提供することである。
【０００７】
本発明の目的はまた、要素が自動機械加工手段によって予め容易に準備され得る形式の方法を提供することである。
【課題を解決するための手段】
【０００８】
本発明は、各々がキュラス(culasse)、クラウン、ガードルを有する複数の石を金属支持要素に嵌め込む方法であって、
装飾面と称する支持要素の第１の面に少なくとも１つの溝をフライス削りするステップと、
前記第１の面の反対側の支持要素の第２の面から、それらの穴が受ける石のガードルの直径に各々の直径がほぼ対応する複数の穴を、各穴が前記少なくとも１つの溝に通じ、各穴の底部が石のクラウンのための支持壁を形成するように穿孔するステップと、
支持壁の近傍で支持要素の第２の面にグレインを形成するステップと、
各々の石のクラウンがそれの穴の支持壁に当接するように穴の適所に石を嵌め込むステップと、
石を前記支持要素に固定し、嵌め込まれた石の列を形成するためにグレインを各々の石のキュラスに押しつけるステップとを含む方法に関する。
【発明の効果】
【０００９】
この方法ゆえに、石の近傍に位置する支持要素の装飾面の材料は変形されず、きれいで滑らかな外観を保つ。さらに、溝の存在は石の整列を強調し、それにより装飾部分の全体の美的魅力を増大させる。この方法は、それが支持要素の装飾面側からもはや見えない限り、グレインの領域の支持要素のトリミングやポリシングといった仕上げ作業を省略可能にすることもまた留意されたい。
【００１０】
また、石を溝に整列させたい場合、本発明の方法は、特に最低限の数のステップを具体化し、それらのステップを単純化することによって、それを達成するための単純かつ経済的な解決策を提供することも留意されたい。
【００１１】
本発明の好ましい具体化によれば、溝の幅は穴が溝に通じている場所の穴の直径にほぼ等しいか、またはそれよりも大きく、穴は溝で中心が合わせられている。さらに、穴は、特に例えばウオッチの文字板を形成するために支持要素が複数の列の嵌め込まれた石を含む場合、支持要素に十分な剛性を維持するために材料のブリッジによって互いに分離される。本発明はまた、その幅が変化し、また曲率の変化した線に沿って延びることもでき、それにより支持要素の装飾面に石を配置するための幾何学の幅広い選択を提供する溝を製作することを可能にする。
【発明を実施するための最良の形態】
【００１２】
本発明の他の特徴および利益は、添付図面に関して非限定的な例として示された好ましい実施形態の以下の説明において明らかになるであろう。
【００１３】
本発明に従った嵌め込み方法は、ここで、図１〜８に関して宝石または準宝石で装飾された１面を有する時計文字板の製作への応用の範囲内で説明する。
【００１４】
図１は、例えば厚さ数ミリメートル、一般には１ｍｍのグレーゴールド１５０(grey gold  150)などの金属板の形態であり、時計の文字板２を製作するための支持要素１を図示している。支持要素１は、従来の様態で、針（図示せず）の通過のための穴４を含む。支持要素１は、本発明のプロセスに従って、文字板２の装飾面となる面８に、例えばフライス削りによって作られた少なくとも１つの溝６をさらに含む。例示した例において、溝６は直線で、その幅は一定であるが、装飾面の所望の外観に応じて、溝６は、一定の幅または可変幅で、例えば幅が一端から他方端に向けて広がっている曲線に沿って延びていてもよいことは言うまでもない。
【００１５】
図２に関する支持要素は、本発明に従った嵌め込み方法の第２ステップの後である。複数の穿孔または穴１０が工具Ｏを用いて反対側の面１２から支持要素１の装飾面まで作られている。穿孔１０は、それらが溝６に通じており溝６に沿って穿孔の列を形成するように作られる。穿孔１０の直径は、それらが受ける石のガードルの直径よりもわずかに大きい。所望の美的効果に応じて、当然ながら穿孔１０は各々異なる直径を有してもよい。本発明に従った穿孔１０は、各穿孔の底部が、穿孔が受ける石のクラウンのための支持壁１４を形成するように作られる。一般に、この支持壁１４は、支持要素１の平面に対して傾斜した面であり、その傾斜は穴が受ける石のクラウンの傾斜にほぼ対応する。実際には、その先端が対応する頂角を有する工具Ｏが選択されるであろう。支持要素１の厚さが薄い場合、穿孔１０は、支持要素１の剛性を不利に低下させるのを避けるために材料のブリッジ１６（図３ａ）によって互いに分離される。また、溝６の幅は、穴が溝に通じている場所において穴１０の直径よりも著しく小さく、穴１０は溝６の軸Ａに中心が合わせられていることも留意されたい。
【００１６】
図３ａ、３ｂは、本発明に従った嵌め込みプロセスにおける次のステップを例示している。このステップは、支持要素１の面１２の穿孔１０に横方向で通じている、すなわちつながっている穴または盲穴１８をミルといった切削工具を用いてくり抜き、穴１８の底面２２からグレイン２０を隆起または形成させ、さらに必要に応じて、穿孔における後続の石の嵌め込みを助成するためにグレイン２０を再加工することにある。グレインはその後の穴１０に石を保持させるために使用される。例示した例において、穿孔１０ごとに２つのグレイン２０が存在し、それらは穿孔１０に対して直径方向の反対側に配置されている。当然ながら、グレインの数は、特に石の大きさと支持要素１での石の密度の関数として変えることができる。これに関して、特にともに近い列で石を嵌め込みたい場合、それに従って２つのグレイン２０が配置される直径は、穿孔１０の場所における溝の方向を横切る方向に対して傾けられることに留意されたい。
【００１７】
穿孔１０がそれらの間に材料のブリッジを形成するために互いに対して離間されている変種（図示せず）によれば、グレイン２０は材料のこれらのブリッジに配置することができ、グレイン２０は１つのグレインが２個の並置された石を固定するように構成することができる。図４ａは、石２４が穴１０において適所に嵌め込まれたが支持要素１における石の最終的な固定前の支持要素１を図示している。これを行うには、各穿孔の直径が、その穿孔が受けることになる石のガードルの直径に対応しているので、各々の石２４のクラウン２６が支持壁１４に当接するまで石を面１２から穿孔の底部に押し込むだけでよい。一旦それらが適所に嵌め込まれると、石２４はその後、図４ｂに図示の通り各々の石のキュラス２８にグレイン２０を押し付ける「ブラージュ（boulage）」ステップの間に、各自の穿孔１０に固定される。この作業は、ビーダー（beader）と呼ばれる従来の工具を用いて達成される。一旦嵌め込まれると、各々の石のテーブル３０とクラウン２６の一部はその後、文字板２の面８で見えるようになる。石が面８を越えて突き出る高さは、溝および／または穿孔の深さに影響を及ぼすことによって容易に調整することができよう。
【００１８】
このように、本発明の方法は嵌め込まれた石で装飾された物体を提供し、この場合、物体に石を保持するための手段は装飾面の側にない。
【００１９】
例として、図５〜８は、本発明の方法に従って石が嵌め込まれた時計の文字板３２を図示している。文字板３２は、２列の嵌め込まれた石２４ａ、すなわち、一定の幅の直線の溝６ａに沿って配置されたほぼ同じ大きさの複数の石から形成された第１の列と、幅が石の大きさに比例して増加する溝６ｂに沿って配置された増大する大きさの複数の石２４ｂから形成された第２の列を含む。これらの図において、先行する図に関して説明されたものと同一の要素は同じ参照数字によって指示されている。
【００２０】
この説明において記載された実施形態には、添付クレームによって規定される本発明の範囲を逸脱することなく、当業者にとって明白な種々の変更および／または改良が行い得ることが理解されるであろう。詳細には、ブレスレットリンク、ウオッチベゼルおよび全部の種類の石、または他の嵌め込まれた物品を装飾するために本発明の方法を使用することができるであろう。
【図面の簡単な説明】
【００２１】
【図１】本発明の方法の第１ステップに従って溝がフライス削りされた後の支持要素の断面図である。
【図２】石を受けるための穴を穿孔するステップ後の支持要素の断面図である。
【図３ａ】グレインを隆起させるためのフライス削りステップ後の支持要素の底面図である。
【図３ｂ】図３ａの線III−IIIに沿った部分断面図である。
【図４】石が支持要素にそれぞれ取り付けられ嵌め込まれている図３ｂに類似の部分断面図である。
【図５】本発明の方法に従って石が嵌め込まれたウオッチ文字板の平面図である。
【図６】本発明の方法に従って石が嵌め込まれたウオッチ文字板の底面図である。
【図７】図５の線VII−VIIに沿った断面図である。
【図８】図５の線VIII−VIIIに沿った断面図である。
【符号の説明】
【００２２】
１  支持要素、２  時計の文字板、４  穴、６  溝、８  面、１０  穿孔、１２  反対側の面、１４  支持壁、１６  ブリッジ、１８  穴、２０  グレイン、２２  底面
【図１】
2007232724.tif 000003
【図２】
2007232724.tif 000004
【図３ａ】
2007232724.tif 000005
【図３ｂ】
2007232724.tif 000006
【図４】
2007232724.tif 000007
【図５】
2007232724.tif 000008
【図６】
2007232724.tif 000009
【図７】
2007232724.tif 000010
【図８】
2007232724.tif 000011